(57)【要約】  締め付け歯に挟まれた靴紐（２）は閉位置でロックされ、開位置で前後に移動可能なように開位置で係合可能に構成される靴紐（２）の緊締具（１）であって、靴紐（２）の引っ張り方向から外れた方向に靴紐（２）を移動させることにより緊締具（１）の開位置での係合が解除可能となることで靴紐がロックされる緊締具（１）と、その緊締具を用いた靴が本発明により提供される。
2007512881.tif 000002
【特許請求の範囲】
【請求項１】
締め付け歯に挟まれた靴紐（２）は閉位置でロックされ、開位置で前後に移動可能なように開位置で係合可能に構成される靴紐（２）の緊締具（１）であって、  
靴紐（２）の引っ張り方向から外れた方向に靴紐（２）を移動させることにより、緊締具（１）の開位置での係合が解除可能となり、靴紐がロックされることを特徴とする緊締具（１）。
【請求項２】
靴紐（２）を通す基部（３）と、基部（３）に取り付けられた可動式摺動部（４）と、基部（３）と摺動部（４）との間で伸縮する弾性要素（５）とを有し、弾性要素の力に逆らって緊締具（１）を開位置へ固定可能であることを特徴とする請求項１に記載の緊締具（１）。
【請求項３】
シェル状に形成された基部（３）と摺動部（４）は互いに係合して靴紐保持空間（６）を形成することを特徴とする請求項１又は２に記載の緊締具（１）。
【請求項４】
靴紐は基部（３）と摺動部（４）との間に固定可能であることを特徴とする請求項２又は３に記載の緊締具（１）。
【請求項５】
靴紐に対向する基部（３）及び／又は摺動部（４）の側面（７、８）には歯が形成されていることを特徴とする請求項４に記載の緊締具（１）。
【請求項６】
弾性要素（５）は基部（３）と摺動部（４）との間に取り付けられたバネであり、特に螺旋状圧縮バネであることを特徴とする請求項２から５のいずれか１項に記載の緊締具（１）。
【請求項７】
基部（３）は、靴の舌革やリュックサック等の開口部の周縁に取り付けるための基部プレート（９）を有することを特徴とする請求項２から６のいずれか１項に記載の緊締具（１）。
【請求項８】
溝或いはレバーを摺動部（４）に形成することを特徴とする請求項２から７のいずれか１項に記載の緊締具（１）。
【請求項９】
摺動部（４）は、緊締具（１）の開位置で摺動部（４）を基部（３）に係合させることが可能な１個の突出部（１１）を有し、摺動部（４）と基部（３）との間に取り付けられた弾性要素の力に逆らって摺動部（４）が係合位置に保持されることを特徴とする請求項２から８のいずれか１項に記載の緊締具（１）。
【請求項１０】
摺動部（４）が靴紐（２）の移動軌道内に回り込むことができるように、突出部（１１）は基部（３）の端部（１２）を通り越し可能であることを特徴とする請求項９に記載の緊締具（１）。
【請求項１１】
請求項１から１０のいずれか１項に記載の靴紐（２）の緊締具（１）を有する靴（１６）。
【請求項１２】
靴紐（２）は一方の操作端（１７）にループを形成し、指一本での靴紐の操作を可能とすることを特徴とする請求項１１に記載の靴（１６）。
【請求項１３】
ループにはスリーブ状握り部（１８）を設けたことを特徴とする請求項１２に記載の靴（１６）。
【請求項１４】
靴紐端部又は靴紐ループ、及び／又は靴紐の握り部（１８）は弾性バンド（１９）と連動するため、靴紐（２）及び握り部（１８）は弾性バンド（１９）により靴（１６）方向に引っ張られることを特徴とする請求項１１から１３のいずれか１項に記載の靴（１６）。
【請求項１５】
靴（１６）上の弾性バンド（１９）はバンドガイド部（２０）に通され、各バンドガイド部（２０）はまた靴紐（２）のガイド部でもあることを特徴とする請求項１３に記載の靴（１６）。
【請求項１６】
弾性バンド（１９）は靴（１６）に取り付けられた受入路（２１）に通され、特に靴（１６）の軸回りに巻回されることを特徴とする請求項１４又は１５に記載の靴（１６）。
【発明の詳細な説明】
【技術分野】
【０００１】
本発明は請求項１に記載の靴紐緊締具と、その靴紐緊締具を備えた請求項１１に記載の靴に関するものである。
【背景技術】
【０００２】
いわゆるスリッポン・シューズなどの紐のない靴やベルクロ・ファスナーの付いた靴と比べて、紐靴は今も一般に普及している。通常、靴紐が独りでに解けてしまうのを防ぐために、靴を履いた後に靴紐を蝶結びにする。
【０００３】
ドイツ特許第８９１,０６５号に記載の靴紐緊締具は、蝶結びをする必要をなくすため、靴紐を任意の堅さまで引っ張って緊締するものである。この緊締具により、靴を脱ぐ際に靴紐の緩んだループができてしまうことや、結び目ができてしまうのが避けられる。このドイツ特許第８９１,０６５号に記載の緊締具は基本的に楔形ケーシング部と対応する楔部から成る。閉位置では楔部は靴紐端部をケーシング部側に対して押圧し、靴紐を固定してロックする。
【発明の開示】
【発明が解決しようとする課題】
【０００４】
緊締具を開位置、つまり靴紐が緊締具内で前後に移動可能である位置にするためには、手で楔部を開位置にしなければならない。靴紐を再び閉位置で固定しないように、楔部を手で絶えず開位置に保持しなければならないが、これでは、靴紐を移動させる間使用者は片手で楔部を開位置に保持しなければならないことになる。このため、使用者は靴紐を締めるなどの他の作業をするのに片手しか使えない。
【０００５】
緊締具の開位置では、楔部や同様のレバー部を開位置に保持するために常に片手が必要になるという問題は、米国特許第６,３３９,８６７Ｂ１号に記載の設計により解決される。この米国特許によると、緊締具は靴紐をロックするための２つの固定カムと歯車とを有する中空体から成る。中空体はバネと結合しており、バネは閉位置で中空体内の歯車を押圧し、歯車と固定カムとの間に挟まれた靴紐の固定をサポートする。中空体は開位置で係合可能であり、第２バネの力に逆らって靴紐をその引っ張り方向に引っ張ることで係合を解除する。解除するためには、前述の第２バネによって決まる特定の力以上で引っ張らなければならない。
【０００６】
この米国特許第６,３３９,８６７号によると、緊締具を開位置から閉位置にする際に必要な力がバネの力によって大きくなってしまう。更に、この米国特許第６,３３９,８６７号による緊締具は複雑な設計を有している。その上、靴紐の締め付け度合いが上記のバネにより決まってしまうので、必要性や応用分野に合わせて靴を比較的緩く或いは堅く締めることができない。前述の設計では、使用者は特定の締め付けにせざるを得なくなり、また締め付けを個人で調節できず、時間の経過によりバネ力が減少することで締め付けが弱くなるだけである。
【課題を解決するための手段】
【０００７】
本発明は、出来るだけ簡易に設計され、構造上の複雑さを最小限に抑えて、開位置での係合を可能とする靴紐緊締具及び対応する靴を提供することを課題とするものである。
【０００８】
この課題は本発明の請求項１に記載の特徴を有する緊締具と、請求項１１に記載の特徴を有する靴により解決され、有益となるその詳細と設計例については下位クレームに記載されている。
【０００９】
本発明の重要な特徴は、緊締具の開位置でのロックは、ロックされた靴紐を靴紐の引っ張り方向である１方向へ移動させることにより解除可能なことである。これにより簡易な設計とともに少ない力での係合解除が可能である。弾性要素の力に逆らってロックを解除する必要はない。
【００１０】
好ましくは、本発明による緊締具は靴紐を保持する基部と、基部に取り付けられた摺動部と、基部と摺動部との間で伸縮する弾性要素とから成り、弾性要素の力に逆らって緊締具を開位置に設定することができる。このような設計の緊締具は上記の３つの構成要素だけで成立しているので、構造上の複雑さを低減し、またその結果製造コストを削減することができる。
【００１１】
好ましい設計例では、基部と摺動部はシェル状に形成され、互いに対向して靴紐の保持空間を形成している。基部及び摺動部がシェル状に設計されている緊締具にはケーシング部を別に設ける必要がないので、製造を簡易にする一方、材料を節減する。即ち、従来の設計で設けられていたケーシング部は本発明では基部と摺動部とによって形成される。
【００１２】
好ましくは、靴紐は基部と摺動部との間で固定可能である。この設計例は特にテクノロジーの現状と比較して構造をあまり複雑にしないことを重視している。既述の先行例のように、靴紐を固定するための歯車等の複雑な装置を必要としない。
【００１３】
好ましくは、基部及び／又は摺動部の靴紐に面する側面には歯が形成され、靴紐を確実に固定することができる。
【００１４】
弾性要素は好ましくは基部と摺動部との間に取り付けられたバネ、特に螺旋状圧縮バネであり、低コストでしかも確実な効果を得ることができる。
【００１５】
好ましい設計例では、基部は靴の舌革やリュックサック開口部の周縁等に取り付けるための基部プレートを有する。そこに緊締具を取り付けることで、開位置にロックすることがより容易になり、使用者にとって使いやすくなる。
【００１６】
好ましくは、緊締具を閉位置から開位置にするために摺動部上に溝やレバーを形成する。溝状にすると、溝を指の形に合わせることができ、装置を例えば親指で操作することが可能になるという利点がある。この場合は、緊締具には突出部分はまったくない。また、例えば突出したレバーの形状をしたものだと指の力が弱い使用者にとって握りやすいという利点がある。
【００１７】
好ましくは、開位置で摺動部を基部に係合させるための突出部を摺動部は有し、開位置では摺動部と基部との間に取り付けられた弾性要素の力に逆らって摺動部が係合位置に固定される。好ましくは、Ｖ字状突出部は基部の端部を通り越し、靴紐の移動軌道に摺動部が回り込み可能にする。これらの構造手段により、構造の複雑さを最小限に抑えて、摺動部を確実に係合することができる。
【００１８】
また、Ｖ字状突出部を基部に設け、対応するＶ字状切り欠き部を摺動部に設けてもよい。
【００１９】
靴に関する本発明の課題は請求項１１に記載の靴、つまり前述の設計例のうちの１つによる緊締具を有する靴により解決される。そのような靴は前述した設計例の緊締具と同様の利点を有する。
【００２０】
好ましくは、片手或いは指一本で操作できるように靴紐はレバーの一端にループを形成する。従って靴を片手で操作することが可能である。緊締具を閉位置から開位置にし、それから靴紐を締め、或いは緩めて、そしてまた緊締具を閉位置にする作業を片手で行うことができる。或いはもし緊締具の基部プレートが靴の舌革等に取り付けられていれば、指一本で操作することが可能である。
【００２１】
靴紐をしっかり握るため、又は強く引っ張る力で靴紐が指を傷つけないようにするため、靴紐のループに例えば殻状の握り部を備えることが可能である。
【００２２】
好ましくは、靴紐端部や靴紐ループ、及び／又は靴紐の握り部は弾性バンドで結合されており、靴紐とその握り部が靴方向に引っ張られる。これにより、靴紐端部や靴紐ループ、及び／又は靴紐の握り部は靴に張り付くので、これが原因してつまずくのを防止できる。更に、握り部は常に手の届くところに位置する。
【００２３】
弾性バンドを好ましくは靴のバンドガイド部又はバンドライナー部に装着し、また靴紐のガイド部にも装着する。このように一部材を多用途に用いることにより、材料費が削減され、魅力的な靴のデザインが提供される。
【００２４】
好ましい設計例では、弾性バンドは靴に取り付けられた案内路により特に靴の軸回りに通される。つまり、弾性バンドを案内路により所定位置に保持し、弾性バンドが滑り落ちるのを防ぐ。これによって所望の通り、靴紐を靴に装着することができる。
【発明を実施するための最良の形態】
【００２５】
以下では、本発明の実施例を添付の図を参照して説明する。
【００２６】
図１及び図２は靴紐２の緊締具を示す概略斜視図であり、図１は緊締具１と固定された靴紐を示すものである。緊締具は基部３と、摺動部４と、基部３と摺動部４との間で伸縮する螺旋状圧縮バネ５の形状をした弾性要素とから成り、その弾性要素の力に逆らって緊締具を開位置にすることができる。開位置の重要な特徴は、開位置では靴紐２が緊締具内を自由に移動可能なことである。従って、閉位置では靴紐２は緊締具内でロックされる。緊締具１が閉位置にあり、それから開位置にされ、最後に再び緊締具１が閉位置にされるという緊締具１の全サイクルについては図３から図６についての以下の記述の中で論じる。
【００２７】
基部３と摺動部４は共にシェル状に形成され、各々は少なくとも一端が開口する。基部３と摺動部４は互いに対向し、靴紐保持空間６を形成している。緊締具１の靴紐保持空間６内に靴紐２を通し、基部３と摺動部４との間で靴紐２を固定することが可能である。靴紐２を確実にロックするため、基部３の靴紐に面する側面７（図２参照）及び摺動部４の靴紐に面する側面８には歯が形成されている（図を明瞭にするため、靴紐に面する基部３の側面７の歯は図示しない）。基部３には緊締具１を例えば靴の舌革に取り付けるための基部プレート９が設けられている。緊締具１の両側に位置する基部プレート９上の中ぐり部１０により緊締具１は取り付けられる。緊締具１の靴の舌革への取り付けは、例えば縫い合わせ、錨止め、又は同様の取り付け手段を用いて様々な方法で行うことができる。ここで更に注目すべきは、基部プレート９をクリップ状に成形して、緊締具１をペーパー・クリップのように靴の舌革に仮に固定することも可能である。摺動部４の上側には指溝が形成され（図示せず）、摺動部４のレバーとして用いられる。従って、摺動部４は使用者の指一本、好ましくは親指で操作可能である。
【００２８】
更に、緊締具１の開位置で摺動部４を基部３の側面に係合するための突出部１１が摺動部４に設けられる（図２参照）。前述したように、摺動部４と基部３との間に取り付けられた圧縮バネ５の力に逆らって摺動部４は係合位置に保持される。このため、Ｖ字状突出部１１は基部３の端部１２を通り越し、靴紐２の移動軌道に摺動部４が回り込むことが可能である。このように回り込むことで、摺動部４の突出部１１と基部３の端部１２は互いに係合する。
【００２９】
図３から図６は緊締具１内での摺動部４の動きの全サイクルを示すものである。図３に示す閉位置に相当する状態から、螺旋状圧縮バネ５の力に逆らって摺動部４を親指で基部３の端部１２の方向へ移動させる。
【００３０】
摺動部４の突出部１１が基部３の端部１２に到達或いは通過するとすぐに、摺動部４は矢印１３で示されるように基部プレート９の方向へ回り込む。これにより、摺動部４の突出部１１と基部３の端部１２は互いに係合し合う位置に達し、緊締具１が開位置で係合する。
【００３１】
係合を解除するためには、靴紐２が所望の通り締められた後、矢印１４で示される靴紐の引っ張り方向である１方向に使用者が靴紐２を引っ張る。それにより、摺動部４は引き上げられ、図６の矢印１５で示されるように、螺旋状圧縮バネ５の力により閉位置に戻される。
【００３２】
図７は靴紐２によって締め付け可能な靴を示す図である。靴１６には前に詳述した緊締具１が備えられている。靴紐２は一方の操作端部１７にループを形成するので、靴紐２を片手、或いは指一本で操作することが可能である。靴紐を強く引っ張った際でも靴紐が指や手を傷つけないようにするため、操作端部１７に形成されたループには樹脂性或いは革性の殻状握り部１８を取り付ける。それに加えて、靴紐２のガイド部２０に通した弾性バンド１９を殻状握り部１８の中に通す。ここでガイド部２０は同時に靴紐２のガイド部の一部でもある。ガイド部２０がこのように多機能を有することで、製造工程を減ずると共に、魅力的なデザインが提供される。
【００３３】
使用者が妨げなければ、靴紐２の操作端部１７に形成された靴紐ループ及び握り部１８は弾性バンド１９によって靴１６の方向へ引っ張られる。更に、弾性バンド１９は靴に取り付けられた案内路２１により靴の軸２２の回りに巻回される。
【００３４】
この出願書類に開示された全ての特徴はテクノロジーの現状に照らして、単一或いは組み合わせによって新規である限り、重要な発明として特許請求される。
【図面の簡単な説明】
【００３５】
【図１】図１は閉位置で靴紐を締めている緊締具を示す全体概略図である。
【図２】図２は開位置にある図１の緊締具を示す概略図である。
【図３】図３は閉位置にある図１及び２の緊締具を示す断面図である。
【図４】図４は開位置にある緊締具を示す断面図である。
【図５】図５は図４と同様に開位置にある緊締具を示すものであるが、靴紐と係合からの解除プロセスを概略的に示した断面図である。
【図６】図６は閉位置から開位置、そして閉位置へ戻るサイクルの最後、つまり再び閉位置なった緊締具を示す断面図である。
【図７】図７は靴紐緊締具を備えた靴の斜視図である。
【符号の説明】
【００３６】
１        緊締具
２        靴紐
３        基部
４        摺動部
５        螺旋状圧縮バネ
６        靴紐保持空間
７        靴紐に面する基部３の側面
８        靴紐に面する摺動部４の側面
９        基部プレート
１０      中ぐり部
１１        摺動部の突出部
１２        基部の端部
１３,１４,１５    矢印
１６        靴  
１７        靴紐２の操作端部
１８        握り部
１９        弾性バンド
２０        ガイド部
２１        案内路
２２        靴１６の軸
【図１】
2007512881.tif 000003
【図２】
2007512881.tif 000004
【図３】
2007512881.tif 000005
【図４】
2007512881.tif 000006
【図５】
2007512881.tif 000007
【図６】
2007512881.tif 000008
【図７】
2007512881.tif 000009
【国際調査報告】
2007512881.tif 000010
2007512881.tif 000011
2007512881.tif 000012
2007512881.tif 000013
2007512881.tif 000014
2007512881.tif 000015